(57)【要約】【課題】ユーザの優先度に応じて、特定ユーザにカメラ制御権を優先的に割当て可能な、配信カメラ、配信カメラ制御システム、配信カメラ制御方法、およびプログラムを提供する。【解決手段】自機の撮影条件を遠隔制御可能にするカメラ制御部１０３と、カメラ制御権を伴うセッションの開始要求をユーザ端末２００ｂから受信する第１の通信部１１１（受信部）と、他のユーザ端末２００ａのユーザＵａに自機のカメラ制御権を割当てている場合に、ユーザ端末２００ｂのユーザＵｂが優先ユーザであるかを判定するユーザ判定部１１７と、ユーザ端末２００ｂのユーザＵｂが優先ユーザである場合に、公開アドレスを有しない他の配信カメラ１００ｂがユーザ端末２００ｂとの間でカメラ制御権を伴うセッションを開始するように、カメラ制御権を伴うセッションの開始要求を他の配信カメラ１００ｂに転送する第１の通信部１１１（転送部）と、を備える。【選択図】図４
2010193362.tif 000002
【特許請求の範囲】
【請求項１】
自機の撮影条件を遠隔制御可能にするカメラ制御部と、
カメラ制御権を伴うセッションの開始要求をユーザ端末から受信する受信部と、
他のユーザ端末のユーザに自機のカメラ制御権を割当てている場合に、前記ユーザ端末のユーザが優先ユーザであるかを判定する判定部と、
前記ユーザ端末のユーザが優先ユーザである場合に、公開アドレスを有しない他の配信カメラが前記ユーザ端末との間でカメラ制御権を伴うセッションを開始するように、前記カメラ制御権を伴うセッションの開始要求を前記他の配信カメラに転送する転送部と、
を備える配信カメラ。
【請求項２】
前記判定部は、前記ユーザ端末のユーザに対して予め設定される優先度情報および前記ユーザ端末のユーザによるセッションの利用実績情報に基づいて、前記ユーザ端末のユーザが優先ユーザであるかを判定する、請求項１に記載の配信カメラ。
【請求項３】
前記判定部は、前記ユーザ端末のユーザによるセッションの利用実績情報に基づいて、前記ユーザ端末のユーザが優先ユーザであるかを判定する、請求項１に記載の配信カメラ。
【請求項４】
前記判定部は、前記ユーザ端末のユーザに対して予め設定される優先度情報に基づいて、前記ユーザ端末のユーザが優先ユーザであるかを判定する、請求項１に記載の配信カメラ。
【請求項５】
前記ユーザ端末のユーザが前記優先度情報に基づく優先ユーザであり、かつ前記セッションの利用実績情報に基づく優先ユーザである場合に、前記カメラ制御権を伴うセッションの開始要求を前記他の配信カメラに転送する、請求項２に記載の配信カメラ。
【請求項６】
前記他の配信カメラが２以上ある場合に、前記ユーザ端末との間でカメラ制御権を伴うセッションを最短の待ち時間で開始可能な前記他の配信カメラを選定し、前記カメラ制御権を伴うセッションの開始要求を、前記選定された他の配信カメラに転送する、請求項２に記載の配信カメラ。
【請求項７】
前記ユーザ端末のユーザが前記優先度情報に基づく優先ユーザであり、かつ前記セッションの利用実績情報に基づく優先ユーザでない場合に、前記ユーザ端末のユーザに前記自機のカメラ制御権を割当可能な状態になると、前記ユーザ端末との間で前記カメラ制御権を伴うセッションを開始する、請求項２に記載の配信カメラ。
【請求項８】
前記ユーザ端末のユーザが優先度情報に基づく優先ユーザでない場合に、利用料金の徴収を条件として、前記優先度情報に基づく優先ユーザに対するサービスを提供可能にする、請求項２に記載の配信カメラ。
【請求項９】
第１の配信カメラおよび第２の配信カメラを含む配信カメラ制御システムであって、
前記第１の配信カメラは、
自機の撮影条件を遠隔制御可能にするカメラ制御部と、
カメラ制御権を伴うセッションの開始要求をユーザ端末から受信する受信部と、
他のユーザ端末のユーザに自機のカメラ制御権を割当てている場合に、前記ユーザ端末のユーザが優先ユーザであるかを判定する判定部と、
前記ユーザ端末のユーザが優先ユーザである場合に、前記カメラ制御権を伴うセッションの開始要求を前記第２の配信カメラに転送する転送部と、を備え、
公開アドレスを有しない前記第２の配信カメラは、
自機の撮影条件を遠隔制御可能にするカメラ制御部と、
前記カメラ制御権を伴うセッションの開始要求を前記第１の配信カメラから受信する受信部と、
前記カメラ制御権を伴うセッションの開始要求を受信した場合に、前記ユーザ端末との間で前記カメラ制御権を伴うセッションを開始するセッション開始部と、を備える、配信カメラ制御システム。
【請求項１０】
配信カメラによって、
カメラ制御権を伴うセッションの開始要求をユーザ端末から受信し、
他のユーザ端末のユーザに自機のカメラ制御権を割当てている場合に、前記ユーザ端末のユーザが優先ユーザであるかを判定し、
前記ユーザ端末のユーザが優先ユーザである場合に、公開アドレスを有しない他の配信カメラが前記ユーザ端末との間でカメラ制御権を伴うセッションを開始するように、前記カメラ制御権を伴うセッションの開始要求を前記他の配信カメラに転送する、配信カメラ制御方法。
【請求項１１】
カメラ制御権を伴うセッションの開始要求をユーザ端末から受信し、
他のユーザ端末のユーザに自機のカメラ制御権を割当てている場合に、前記ユーザ端末のユーザが優先ユーザであるかを判定し、
前記ユーザ端末のユーザが優先ユーザである場合に、公開アドレスを有しない他の配信カメラが前記ユーザ端末との間でカメラ制御権を伴うセッションを開始するように、前記カメラ制御権を伴うセッションの開始要求を前記他の配信カメラに転送する、配信カメラ制御方法をコンピュータに実行させるためのプログラム。
【発明の詳細な説明】
【技術分野】
【０００１】
本発明は、配信カメラ、配信カメラシステム、配信カメラ制御方法、およびプログラムに関する。
【背景技術】
【０００２】
従来、遠隔地にある配信カメラをネットワーク経由でユーザに制御させることで、所望の撮影条件のリアルタイム映像のデータをユーザ端末に配信する映像配信システムが知られている。ここで、ユーザは、カメラ制御権が他のユーザに割当てられていなければ、カメラ制御権を所定の利用期限で配信カメラから割当てられ、配信カメラを制御することができる。しかし、ユーザは、カメラ制御権が他のユーザに割当てられていると、原則的に他のユーザの利用期限が経過するまでカメラ制御権を割当てられず、配信カメラを制御することができなかった。
【先行技術文献】
【特許文献】
【０００３】
【特許文献１】特開２００８−２３６６４６号公報
【発明の概要】
【発明が解決しようとする課題】
【０００４】
ところで、この種のシステムでは、ユーザの優先度に応じて、特定ユーザにカメラ制御権を優先的に割当てたい場合がある。しかし、従来のシステムでは、ユーザの優先度にかかわらず、カメラ制御権が他のユーザに割当てられていると、特定ユーザにカメラ制御権を割当てることができなかった。
【０００５】
そこで、本発明は、ユーザの優先度に応じて、特定ユーザにカメラ制御権を優先的に割当て可能な、配信カメラ、配信カメラ制御システム、配信カメラ制御方法、およびプログラムを提供しようとするものである。
【課題を解決するための手段】
【０００６】
本発明の第１の観点によれば、自機の撮影条件を遠隔制御可能にするカメラ制御部と、カメラ制御権を伴うセッションの開始要求をユーザ端末から受信する受信部と、他のユーザ端末のユーザに自機のカメラ制御権を割当てている場合に、ユーザ端末のユーザが優先ユーザであるかを判定する判定部と、ユーザ端末のユーザが優先ユーザである場合に、公開アドレスを有しない他の配信カメラがユーザ端末との間でカメラ制御権を伴うセッションを開始するように、カメラ制御権を伴うセッションの開始要求を他の配信カメラに転送する転送部と、を備える配信カメラが提供される。
【０００７】
かかる構成によれば、配信カメラは、カメラ制御権を伴うセッションの開始要求をユーザ端末から受信し、他のユーザ端末に自機のカメラ制御権を割当てている場合に、ユーザ端末のユーザが優先ユーザであるかを判定する。そして、優先ユーザである場合に、配信カメラは、公開アドレスを有しない他の配信カメラがユーザ端末との間でカメラ制御権を伴うセッションを開始するように、カメラ制御権を伴うセッションの開始要求を他の配信カメラに転送する。これにより、配信カメラは、ユーザの優先度に応じて、他の配信カメラのカメラ制御権を特定ユーザに優先的に割当てることができる。
【０００８】
また、上記判定部は、ユーザに対して予め設定される優先度情報およびユーザ端末のユーザによるセッションの利用実績情報に基づいて、ユーザ端末のユーザが優先ユーザであるかを判定してもよい。これにより、ユーザの優先度情報およびセッションの利用実績情報に基づいて、ユーザの優先度を静的および動的な基準を組合せて判定することができる。また、上記判定部は、ユーザ端末のユーザによるセッションの利用実績情報に基づいて、ユーザ端末のユーザが優先ユーザであるかを判定してもよい。また、上記判定部は、ユーザ端末のユーザに対して予め設定される優先度情報に基づいて、ユーザ端末のユーザが優先ユーザであるかを判定してもよい。
【０００９】
また、上記配信カメラは、ユーザ端末のユーザが優先度情報に基づく優先ユーザであり、かつセッションの利用実績情報に基づく優先ユーザである場合に、カメラ制御権を伴うセッションの開始要求を他の配信カメラに転送してもよい。これにより、ユーザの優先度情報およびセッションの利用実績情報に基づく優先ユーザに、他の配信カメラのカメラ制御権を優先的に割当てることができる。
【００１０】
また、上記配信カメラは、他の配信カメラが２以上ある場合に、ユーザ端末との間でカメラ制御権を伴うセッションを最短の待ち時間で開始可能な他の配信カメラを選定し、カメラ制御権を伴うセッションの開始要求を、選定された他の配信カメラに転送してもよい。これにより、ユーザの優先度情報およびセッションの利用実績情報に基づく優先ユーザに、他の配信カメラのカメラ制御権の割当状況に応じて、セッション開始までの待ち時間を最短とする他の配信カメラのカメラ制御権を優先的に割当てることができる。
【００１１】
また、上記配信カメラは、ユーザ端末のユーザが優先度情報に基づく優先ユーザであり、かつセッションの利用実績情報に基づく優先ユーザでない場合に、ユーザ端末のユーザに自機のカメラ制御権を割当可能な状態になると、ユーザ端末との間でカメラ制御権を伴うセッションを開始してもよい。これにより、ユーザの優先度情報に基づく優先ユーザに、配信カメラのカメラ制御権の割当状況に応じて、配信カメラのカメラ制御権を割当てることができる。
【００１２】
また、上記配信カメラは、ユーザ端末のユーザが優先度情報に基づく優先ユーザでない場合に、利用料金の徴収を条件として、優先度情報に基づく優先ユーザ向けのサービスを提供可能にする。これにより、優先度情報に基づく優先ユーザでないユーザにも、利用料金の徴収を条件として、優先ユーザ向けのサービスを提供することができる。
【００１３】
本発明の第２の観点によれば、第１の配信カメラおよび第２の配信カメラを含む配信カメラ制御システムが提供される。ここで、第１の配信カメラは、自機の撮影条件を遠隔制御可能にするカメラ制御部と、カメラ制御権を伴うセッションの開始要求をユーザ端末から受信する受信部と、他のユーザ端末のユーザに自機のカメラ制御権を割当てている場合に、ユーザ端末のユーザが優先ユーザであるかを判定する判定部と、ユーザ端末のユーザが優先ユーザである場合に、カメラ制御権を伴うセッションの開始要求を第２の配信カメラに転送する転送部と、を備える。第２の配信カメラは、公開アドレスを有さず、自機の撮影条件を遠隔制御可能にするカメラ制御部と、カメラ制御権を伴うセッションの開始要求を第１の配信カメラから受信する受信部と、カメラ制御権を伴うセッションの開始要求を受信した場合に、ユーザ端末との間でカメラ制御権を伴うセッションを開始するセッション開始部と、を備える。
【００１４】
かかる構成によれば、第１の配信カメラは、カメラ制御権を伴うセッションの開始要求をユーザ端末から受信し、他のユーザ端末のユーザに自機のカメラ制御権を割当てている場合に、ユーザ端末のユーザが優先ユーザであるかを判定する。そして、優先ユーザである場合に、第１の配信カメラは、公開アドレスを有しない第２の配信カメラがユーザ端末との間でカメラ制御権を伴うセッションを開始するように、カメラ制御権を伴うセッションの開始要求を第２の配信カメラに転送する。これにより、配信カメラ制御システムは、ユーザの優先度に応じて、第２の配信カメラのカメラ制御権を特定ユーザに優先的に割当てることができる。
【００１５】
本発明の第３の観点によれば、配信カメラによって、カメラ制御権を伴うセッションの開始要求をユーザ端末から受信し、他のユーザ端末のユーザに自機のカメラ制御権を割当てている場合に、ユーザ端末のユーザが優先ユーザであるかを判定し、ユーザ端末のユーザが優先ユーザである場合に、公開アドレスを有しない他の配信カメラがユーザ端末との間でカメラ制御権を伴うセッションを開始するように、カメラ制御権を伴うセッションの開始要求を他の配信カメラに転送する、配信カメラ制御方法が提供される。
【００１６】
かかる方法によれば、配信カメラによって、まず、カメラ制御権を伴うセッションの開始要求をユーザ端末から受信し、他のユーザ端末のユーザに自機のカメラ制御権を割当てている場合に、ユーザ端末のユーザが優先ユーザであるかを判定する。そして、優先ユーザである場合に、公開アドレスを有しない他の配信カメラがユーザ端末との間でカメラ制御権を伴うセッションを開始するように、カメラ制御権を伴うセッションの開始要求を、他の配信カメラに転送する。これにより、ユーザの優先度に応じて、他の配信カメラのカメラ制御権を特定ユーザに優先的に割当てることができる。
【００１７】
本発明の第４の観点によれば、本発明の第３の観点による配信カメラ制御方法をコンピュータに実行させるためのプログラムが提供される。
【発明の効果】
【００１８】
以上説明したように本発明によれば、ユーザの優先度に応じて、特定ユーザにカメラ制御権を優先的に割当て可能な、配信カメラ、配信カメラ制御システム、配信カメラ制御方法、およびプログラムを提供することができる。
【図面の簡単な説明】
【００１９】
【図１】一般的な配信カメラ制御システムの構成を示す図である。
【図２】一般的な配信カメラ制御方法の処理手順の一例を示すシーケンス図である。
【図３Ａ】図２に示した処理手順の変形例を示すシーケンス図である。
【図３Ｂ】図２に示した処理手順の変形例を示すシーケンス図である。
【図３Ｃ】図２に示した処理手順の変形例を示すシーケンス図である。
【図４】本発明の実施形態に係る配信カメラ制御システムの構成を示す図である。
【図５】本発明の実施形態に係る配信カメラの機能構成例を示すブロック図である。
【図６】ユーザ端末の機能構成例を示すブロック図である。
【図７】配信カメラの処理手順を示すフロー図である。
【図８】本発明の実施形態に係る配信カメラ制御方法の処理手順を示すシーケンス図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
［１．配信カメラ制御システム］
以下では、図１〜図４を参照しながら、一般的な配信カメラ制御システムと対比しつつ、本発明の実施形態に係る配信カメラ制御システムについて説明する。
【００２２】
［１−１．一般的な配信カメラ制御システム］
まず、図１〜図３を参照しながら、一般的な配信カメラ制御システムについて説明する。図１は、一般的な配信カメラ制御システムの構成を示す図である。図２および図３は、一般的な配信カメラ制御方法の処理手順を示すシーケンス図である。
【００２３】
図１に示すように、配信カメラ制御システムは、通信網３、ＳＩＰ（Ｓｅｓｓｉｏｎ  Ｉｎｉｔｉａｔｉｏｎ  Ｐｒｏｔｏｃｏｌ）サーバ５、配信カメラ１０ａ、ユーザＵａ〜Ｕｃのユーザ端末２０ａ〜２０ｃを含んで構成される。
【００２４】
通信網３は、ＳＩＰサーバ５、配信カメラ１０ａ、ユーザ端末２０ａ〜２０ｃを双方向または一方向通信可能に接続する、有線および／または無線の通信回線網である。ＳＩＰサーバ５は、配信カメラ１０ａとユーザ端末２０ａ〜２０ｃとの間でのメディア通信に際して、ＳＩＰを用いて通信セッションの開始、終了等の呼制御を行う。
【００２５】
配信カメラ１０ａは、所定の撮影条件の映像データを１以上のユーザ端末２０ａ〜２０ｃに配信する。配信カメラ１０ａの撮影条件は、撮影方向および／または画角により規定され、配信カメラ１０ａからカメラ制御権を割当てられたユーザＵａ〜Ｕｃにより変更される。なお、配信カメラ１０ａは、映像撮影・配信機能を有するパーソナルコンピュータ、テレビジョン受像機、携帯電話、ＰＤＡ等である。
【００２６】
ユーザ端末２０ａ〜２０ｃは、所定の撮影条件の映像データを配信カメラ１０ａから受信して再生する。ユーザＵａ〜Ｕｃは、カメラ制御権を割当てられている場合に、ユーザ端末２０ａ〜２０ｃを用いて、配信カメラ１０ａを制御して所望の映像を確認することができる。なお、ユーザ端末２０ａ〜２０ｃは、パーソナルコンピュータ、テレビジョン受像機、携帯電話、ＰＤＡ等である。
【００２７】
図２には、一般的な配信カメラ制御方法の処理手順の一例が示されている。図２に示すように、ユーザＵａによるセッションの利用に際して、ユーザ端末２０ａは、カメラ制御権を伴うセッションの開始要求（ＩＮＶＩＴＥメッセージ等）を、ＳＩＰサーバ５を介して配信カメラ１０ａに送信する（ステップＳ１１、Ｓ１２）。配信カメラ１０ａは、自機のカメラ制御権を割当て可能な状態で、ユーザ端末２０ａからカメラ制御権を伴うセッションの開始要求を受信すると、カメラ制御権を伴うセッションの開始応答（ＯＫメッセージ等）を、ＳＩＰサーバ５を介してユーザ端末２０ａに送信し（Ｓ１３、Ｓ１４）、カメラ制御権をユーザＵａに割当てる。
【００２８】
ユーザ端末２０ａとの間でセッションを開始すると、配信カメラ１０ａは、ユーザ端末２０ａに対して映像データ（および選択的に音声データ；以下も同じ。）の配信を開始する（Ｓ１５）。また、ユーザ端末２０ａは、ユーザＵａによる遠隔操作に応じて、カメラ制御用のデータを配信カメラ１０ａに送信する（Ｓ１７）。配信カメラ１０ａは、カメラ制御権を有するユーザＵａのユーザ端末２０ａから制御データを受信すると、制御データに応じて撮影条件を変更し、所定の撮影条件の映像データを配信する。これにより、ユーザＵａは、カメラ制御権を用いて配信カメラ１０ａを制御し、所望の映像を確認することができる。
【００２９】
ここで、ユーザＵｂがセッションの利用を希望する場合、ユーザ端末２０ｂは、カメラ制御権を伴うセッションの開始要求を配信カメラ１０ａに送信し、配信カメラ１０ａは、セッションの開始要求をユーザ端末２０ｂから受信する（Ｓ１９、Ｓ２０）。ここで、配信カメラ１０ａは、自機のカメラ制御権をユーザＵａに割当てており、ユーザＵｂに割当て可能な状態ではないので、カメラ制御権を伴わないセッションの開始応答をユーザ端末２０ｂに送信する（Ｓ２１、Ｓ２２）。ユーザ端末２０ｂとの間でセッションを開始すると、配信カメラ１０ａは、ユーザ端末２０ｂに対して映像データの配信を開始する（Ｓ２３）。しかし、ユーザＵｂは、カメラ制御権を用いて配信カメラ１０ａを制御できず、必ずしも所望の映像を確認することができない。
【００３０】
図３Ａ〜３Ｃには、図２に示した処理手順の変形例が示されている。図３Ａに示すように、配信カメラ１０ａとユーザ端末２０ａとの間で、所定の利用期限を有するカメラ制御権を伴うセッションが開始されている状態を想定する（Ｓ１１〜Ｓ１７）。ここで、図３Ａ〜３Ｃに示すシステムでは、カメラ制御権の割当てに際して、ユーザの優先度が判定され、ユーザが優先ユーザであればカメラ制御権の割当てを予約することができる。
【００３１】
図３Ａに示すように、ユーザＵｂが優先ユーザである場合、ユーザ端末２０ｂは、優先ユーザであることを表す優先度情報とともに、カメラ制御権を伴うセッションの開始要求を配信カメラ１０ａに送信し、配信カメラ１０ａは、セションの開始要求をユーザ端末２０ｂから受信する（Ｓ３１、Ｓ３２）。配信カメラ１０ａは、自機のカメラ制御権をユーザＵａに割当てており、ユーザＵｂに割当て可能な状態ではないので、ユーザＵｂの優先度情報を判定する。ここで、ユーザＵｂが優先ユーザであるので、配信カメラ１０ａは、ユーザＵａに割当てているカメラ制御権の利用期限を確認し、利用期限が切れる時点を割当予約時点として、ユーザＵｂへのカメラ制御権の割当てを予約する。
【００３２】
そして、配信カメラ１０ａは、割当予約時点までの待ち時間とともに、カメラ制御権を伴わないセッションの開始応答をユーザ端末２０ｂに送信する（Ｓ３３、Ｓ３４）。ユーザ端末２０ｂとの間でセッションが開始すると、配信カメラ１０ａは、ユーザ端末２０ｂに対して映像データの配信を開始する（Ｓ３５）。なお、ユーザＵｂが優先ユーザでない場合、配信カメラ１０ａは、カメラ制御権を割当てられない旨をユーザ端末２０ｂに通知し、ユーザ端末２０ｂとの間でカメラ制御権を伴わないセッションを開始する。
【００３３】
図３Ｂに示すように、ユーザＵａに割当てているカメラ制御権の利用期限が到来すると、配信カメラ１０ａは、ユーザ端末２０ａとの間のセッションを、カメラ制御権を伴わないセッションに変更する。配信カメラ１０ａは、セッションの変更要求（ＵＰＤＡＴＥメッセージ等）をユーザ端末２０ａに送信し（Ｓ４１、Ｓ４２）、ユーザ端末２０ａは、変更応答を配信カメラ１０ａに送信する（Ｓ４３、Ｓ４４）。変更応答を受信すると、配信カメラ１０ａは、ユーザＵａへのカメラ制御権の割当を解除し、ユーザ端末２０ａに対して映像データの配信を継続する（Ｓ４５）。
【００３４】
そして、配信カメラ１０ａは、ユーザ端末２０ｂとの間のセッションを、カメラ制御権を伴うセッションに変更する。配信カメラ１０ａは、セッションの変更要求をユーザ端末２０ｂに送信し（Ｓ４７、Ｓ４８）、ユーザ端末２０ｂは、変更応答を配信カメラ１０ａに送信する（Ｓ４９、Ｓ５０）。変更応答を受信すると、配信カメラ１０ａは、ユーザＵｂに自機のカメラ制御権を割当てる。これにより、ユーザＵｂは、割当予約されたカメラ制御権を用いて配信カメラ１０ａを制御し、所望の映像を確認することができる（Ｓ５１、Ｓ５３）。
【００３５】
また、図３Ｃに示すように、ユーザＵａに割当てているカメラ制御権の利用期限が到来する前に、ユーザ端末２０ａからセッションの終了要求（ＢＹＥメッセージ等）を受信すると（Ｓ６１、Ｓ６２）、配信カメラ１０ａは、終了応答をユーザ端末２０ａに送信し（Ｓ６３、Ｓ６４）、カメラ制御権の割当を解除する。そして、配信カメラ１０ａは、図３Ｂに示す場合と同様に、ユーザ端末２０ｂとの間のセッションを、カメラ制御権を伴うセッションに変更し（Ｓ６５〜Ｓ６８）、自機のカメラ制御権をユーザＵｂに割当てる。これにより、ユーザＵｂは、割当予約されたカメラ制御権を用いて配信カメラ１０ａを制御し、所望の映像を確認することができる（Ｓ６９、Ｓ７１）。
【００３６】
図２および図３に示すように、一般の配信カメラ制御システムでは、ユーザＵｂは、優先ユーザであっても、カメラ制御権が他のユーザＵａに割当てられていると、原則的にユーザＵａによるカメラ制御権の利用期限が到来するまでは、配信カメラ１０ａを制御することができなかった。
【００３７】
［１−２．本発明の実施形態に係る配信カメラ制御システム］
次に、図４を参照しながら、本発明の実施形態に係る配信カメラ制御システムの構成について説明する。図４は、本発明の実施形態に係る配信カメラ制御システムの構成を示す図である。
【００３８】
図４に示すように、配信カメラ制御システムは、通信網３、ＳＩＰサーバ５、配信カメラ１００ａ〜１００ｃ、ユーザＵａ〜Ｕｃのユーザ端末２００ａ〜２００ｃ、およびユーザ管理サーバ３００を含んで構成される。
【００３９】
配信カメラ１００ａ〜１００ｃは、公開アドレスを有する配信カメラ１００ａ（公開カメラとも称する。）、公開アドレスを有しない配信カメラ１００ｂ、１００ｃ（非公開カメラとも称する。）からなる。公開カメラと非公開カメラは、例えば、略同一の映像を配信する正規カメラと予備カメラとの関係にあり、または異なるアングルから撮影対象を捉えた映像を配信する主カメラと副カメラとの関係にあってもよい。非公開カメラは、詳細は後述するが、セッション開始要求をユーザ端末２００ａ〜２００ｃから直接受信せずに、所定の規則に則って公開カメラを介して受信する。なお、図４では、非公開カメラとして、２つの配信カメラ１００ｂ、１００ｃが通信網３に接続されているが、映像配信サービスの利用状況等に応じて、３以上の配信カメラ１００が接続されてもよい。
【００４０】
ユーザ管理サーバ３００は、映像配信サービスを利用するユーザＵａ〜Ｕｃのユーザ情報を管理する。ユーザ管理サーバ３００は、通信網３を介して配信カメラ１００ａ〜１００ｃおよびユーザ端末２００ａ〜２００ｃと接続される。ユーザ管理サーバ３００は、映像配信サービスの利用時に登録されるユーザの登録情報、各セッションの利用時に更新されるセッションの利用実績情報（利用回数、利用時間等）、およびセッションの利用に伴う課金情報等をユーザＵａ〜Ｕｃ毎に管理する。
【００４１】
ここで、図４を用いて、配信カメラ制御システムの基本動作について説明する。公開カメラである配信カメラ１００ａとユーザ端末２００ａとの間で、カメラ制御権を伴うセッションが開始されている（ステップＳ１）。ユーザＵｂによるセッションの利用に際して、ユーザ端末２００ｂは、カメラ制御権を伴うセッションの開始要求を配信カメラ１００ａに送信する（Ｓ２）。配信カメラ１００ａは、他のユーザ（例えばユーザＵａ）に自機のカメラ制御権を割当てている場合に、ユーザ端末２００ｂのユーザＵｂが優先ユーザであるかを判定する（Ｓ３）。ここで、ユーザＵｂが優先ユーザである場合を想定する。
【００４２】
配信カメラ１００ａは、ユーザＵｂが優先ユーザであるので、カメラ制御権を伴うセッションの開始要求を非公開カメラである配信カメラ１００ｂに転送する（Ｓ４）。そして、配信カメラ１００ｂは、セッションの開始要求を受信すると、ユーザ端末２００ｂとの間でカメラ制御権を伴うセッションを開始する（Ｓ５）。これにより、配信カメラ制御システムは、ユーザの優先度に応じて、配信カメラ１００ｂのカメラ制御権を優先ユーザであるユーザＵｂに優先的に割当てることができる。
【００４３】
［２．配信カメラの機能構成］
次に、図５を参照しながら、本発明の実施形態に係る配信カメラの主要な機能構成について説明する。図５は、本発明の実施形態に係る配信カメラの機能構成例を示すブロック図である。図５に示すように、配信カメラ１００は、カメラ部１０１、カメラ制御部１０３、データ生成部１０５、データ符号化部１０７、第１の通信部１０９、第２の通信部１１１、制御権管理部１１３、制御権管理ＤＢ１１５、ユーザ判定部１１７、制御部１１９を含んで構成される。
【００４４】
カメラ部１０１は、パン・チルト機構およびズーム機構を有し、撮影方向および画角により規定される撮影条件を変更可能である。カメラ部１０１は、カメラ制御部１０３により制御され、所定の撮影条件の映像を撮影し、映像信号としてデータ生成部１０５に供給する。カメラ制御部１０３は、自機のカメラ制御権を割当てているユーザＵのユーザ端末２００から受信される制御データに従って、カメラ部１０１のパン・チルト機構およびズーム機構を制御する。データ生成部１０５は、カメラ部１０１から供給される映像信号に所定の信号処理を施し、映像データを生成し、データ符号化部１０７に供給する。データ符号化部１０７は、映像データを映像配信用に圧縮符号化し、第２の通信部１１１に供給する。
【００４５】
第１の通信部１０９は、通信網３を介してＳＩＰサーバ５との間で通信を行う。第１の通信部１０９は、ＳＩＰサーバ５を介して、ユーザ端末２００との間でセッションの開始・終了等のために通信制御信号を送受信し、他の配信カメラ１００へセッションの開始要求等を転送する。第１の通信部１０９は、受信部および転送部として機能する。
【００４６】
第２の通信部１１１は、通信網３を介してユーザ端末２００、ユーザ管理サーバ３００等との間で通信を行う。第２の通信部１１１は、ユーザ端末２００からカメラ制御用の制御データ等を受信し、データ生成部１０５から供給される映像データをパケット化し、ＲＴＳＰ（ＲｅａｌＴｉｍｅ  Ｓｔｒｅａｍｉｎｇ  Ｐｒｏｔｏｃｏｌ）、ＲＴＰ（ＲｅａｌＴｉｍｅ  Ｔｒａｎｓｐｏｒｔ  Ｐｒｏｔｏｃｏｌ）等のプロトコルに則ってユーザ端末２００に配信する。また、第２の通信部１１１は、ユーザ管理サーバ３００との間で、ユーザ情報（利用実績情報等）を送受信する。
【００４７】
制御権管理部１１３は、自機および他の配信カメラ１００のカメラ制御権の割当・予約状況、他の配信カメラ１００の非公開アドレス等を制御権管理情報として制御権管理ＤＢ１１５を用いて管理する。制御権管理部１１３は、自機のカメラ制御権を割当可能な状態であれば、所定の利用期限を有するカメラ制御権をユーザ端末２００のユーザに割当てる。また、制御権管理部１１３は、自機のカメラ制御権を割当不能な状態であれば、所定の割当・予約規則に則って、自機または他の配信カメラ１００のカメラ制御権をユーザ端末２００のユーザに割当て、または割当を予約する。なお、カメラ制御権の割当・予約規則の詳細については、後述する。
【００４８】
ユーザ判定部１１７は、ユーザ端末２００のユーザが優先ユーザであるかを判定する。ユーザ判定部１１７は、ユーザの優先度情報、およびユーザによるセッションの利用実績情報に基づいて、ユーザが優先ユーザであるかを判定する。ここで、優先度情報は、ユーザが優先ユーザであるか否かを表す情報であり、サービス利用時におけるユーザの登録条件等に応じて予め設定される。利用実績情報は、ユーザによるセッションの利用回数、利用時間等を表す情報であり、ユーザ管理サーバ３００等により管理される。配信カメラ１００は、ユーザ管理サーバ３００に対して、セッション開始に伴うユーザ判定時にセッションの利用実績情報を照会し、セッション終了時にセッションの利用実績の更新情報を通知する。ユーザ判定部１１７は、判定部として機能する。
【００４９】
制御部１１９は、ＣＰＵ、ＲＯＭ、ＲＡＭ等を含み、配信カメラ１００の動作に必要な処理およびバス１２１を通じて接続される各部の制御を行う。ＣＰＵは、映像配信プログラムをＲＯＭから読出し、ＲＡＭ上に展開して実行する。制御部１１９は、セッション開始要求の受信、セッション開始の判定、ユーザの判定、カメラ制御権の割当・予約、セッション開始要求の転送、映像データの配信、制御データの受信等を制御する。
【００５０】
なお、上記説明では、公開カメラとして機能する配信カメラ１００の主要な機能構成について説明した。非公開カメラとして機能する配信カメラ１００は、図５に示す配信カメラ１００と同様な機能構成を有するが、制御権管理部１１３の一部の機能、およびユーザ判定部１１７の機能を省略可能である。なお、非公開カメラとして機能する配信カメラ１００では、第１の通信部１０９が制御部１１９と協働することで、セッション開始部として機能する。
【００５１】
なお、配信カメラ１００の各構成要素は、汎用的な部材・回路により構成されてもよく、各構成要素の機能に特化したハードウェアにより構成されてもよい。また、各構成要素の機能のうち少なくとも一部は、ＣＰＵ上で実行されるプログラムにより実現されてもよい。
【００５２】
［３．ユーザ端末の機能構成］
次に、図６を参照しながら、本発明の実施形態に係るユーザ端末の主要な機能構成について説明する。図６は、ユーザ端末の機能構成例を示すブロック図である。図６に示すように、ユーザ端末２００は、操作Ｉ／Ｆ部２０１、データ復号部２０３、データ再生部２０５、表示部２０７、第１の通信部２０９、第２の通信部２１１、および制御部２１３を含んで構成される。
【００５３】
操作Ｉ／Ｆ部２０１は、セッションの開始・終了指示、所望の撮影条件を示す操作情報、および登録情報等をユーザに入力させる。操作Ｉ／Ｆ部２０１は、セッションの開始・終了指示、操作情報等を制御部２１３に供給する。データ復号部２０３は、配信カメラ１００から受信される圧縮符号化された映像データを復号し、データ再生部２０５に供給する。データ再生部２０５は、データ復号部２０３により復号された映像データを再生処理し、映像信号として表示部２０７に供給する。
【００５４】
表示部２０７は、液晶パネル、モニタ等を含み、データ再生部２０５から供給される映像信号に対応する映像を表示する。なお、図６では、表示部２０７がユーザ端末２００と一体に設けられているが、表示部２０７は、ユーザ端末２００と別体に表示装置として設けられてもよい。この場合、映像信号は、図示されていない出力Ｉ／Ｆ部を介して表示装置に出力される。
【００５５】
第１の通信部２０９は、通信網３を介してＳＩＰサーバ５との間で通信を行う。第１の通信部２０９は、ＳＩＰサーバ５を介して、配信カメラ１００との間でセッションの開始・終了等のために通信制御信号を送受信する。第２の通信部２１１は、通信網３を介して配信カメラ１００、ユーザ管理サーバ３００等との間で通信を行う。第２の通信部２１１は、配信カメラ１００にカメラ制御用のデータ等を送信し、配信カメラ１００からパケット化された映像データを受信し、パケット化前の映像データを復元する。
【００５６】
制御部２１３は、ＣＰＵ、ＲＯＭ、ＲＡＭ等を含み、ユーザ端末２００の動作に必要な処理およびバス２１５を通じて接続される各部の制御を行う。ＣＰＵは、映像再生プログラムをＲＯＭから読出し、ＲＡＭ上に展開して実行する。
【００５７】
なお、ユーザ端末２００の各構成要素は、汎用的な部材・回路により構成されてもよく、各構成要素の機能に特化したハードウェアにより構成されてもよい。また、各構成要素の機能のうち少なくとも一部は、ＣＰＵ上で実行されるプログラムにより実現されてもよい。
【００５８】
［４．配信カメラ制御方法］
以下では、図７および図８を参照しながら、本発明の実施形態に係る配信カメラ制御方法について説明する。
【００５９】
まず、図７を参照しながら、公開カメラ１００ａの処理手順について説明する。図７は、配信カメラの処理手順を示すフロー図である。なお、以下では、公開カメラ１００ａとユーザ端末２００との間および非公開カメラ１００ｂ、１００ｃとユーザ端末２００との間で、同時利用可能なセッション数の上限を超えない範囲でセッションが利用される場合を想定する。
【００６０】
図７に示すように、公開カメラ１００ａは、ユーザ端末（例えばユーザ端末２００ｂとする。）からセッションの開始要求を受信すると（Ｓ１０１）、カメラ制御権を伴うセッションの開始要求であるかを判定する（Ｓ１０３）。ここで、セッションの開始要求には、カメラ制御権を伴うセッションであるか否かを示す識別情報が含まれている。公開カメラ１００ａは、判定条件が満たされる場合に後続の処理を行い、判定条件が満たされない場合に、ユーザ端末２００ｂとの間でカメラ制御権を伴わないセッションを開始する（Ｓ１２１）。
【００６１】
カメラ制御権を伴うセッションの開始要求であれば、公開カメラ１００ａは、自機のカメラ制御権を他のユーザ（例えばユーザＵａとする。）に割当てているかを判定する（Ｓ１０５）。ここで、自機のカメラ制御権の割当・予約状況は、制御権管理情報として公開カメラ１００ａにより管理されている。公開カメラ１００ａは、判定条件が満たされる場合に後続の処理を行い、判定条件が満たされない場合にテップＳ１２３以降の処理を行う。
【００６２】
自機のカメラ制御権を他のユーザＵａに割当てていれば、公開カメラ１００ａは、ユーザ端末２００ｂのユーザＵｂが優先度情報に基づく優先ユーザであるかを判定する（Ｓ１０７）。ここで、セッションの開始要求には、ユーザＵｂの識別情報とともに、ユーザ端末２００ｂのユーザＵｂが優先ユーザであるか否かを示す優先度情報が含まれている。なお、優先度情報は、セッションの開始要求に含まれる代わりに、ユーザＵｂの識別情報に基づいて、ユーザ管理サーバ３００から取得されてもよい。公開カメラ１００ａは、判定条件が満たされる場合に後続の処理を行い、判定条件が満たされない場合にステップＳ１２７以降の処理を行う。
【００６３】
ユーザＵｂが優先度情報に基づく優先ユーザであれば、公開カメラ１００ａは、ユーザ端末２００ｂのユーザＵｂが利用実績情報に基づく優先ユーザであるかを判定する（Ｓ１０９）。ここで、公開カメラ１００ａは、ユーザＵｂの識別情報に基づいて、ユーザＵｂによるセッションの利用実績情報をユーザ管理サーバ３００から取得し、例えば利用実績情報が所定の閾値を超えている場合に、優先ユーザであると判定する。公開カメラ１００ａは、判定条件が満たされる場合に後続の処理を行い、判定条件が満たされない場合にステップＳ１３１以降の処理を行う。
【００６４】
ユーザＵｂが利用実績情報に基づく優先ユーザであれば、公開カメラ１００ａは、１以上の非公開カメラ１００ｂ、１００ｃのカメラ制御権を割当可能であるかを判定する（Ｓ１１１）。ここで、非公開カメラ１００ｂ、１００ｃのカメラ制御権の割当・予約状況は、制御権管理情報として公開カメラ１００ａにより管理されているものとする。なお、非公開カメラ１００ｂ、１００ｃのカメラ制御権の割当・予約状況は、各非公開カメラ１００ｂ、１００ｃにより管理され、必要に応じて公開カメラ１００ａにより各非公開カメラ１００ｂ、１００ｃから取得されてもよい。公開カメラ１００ａは、判定条件が満たされる場合に後続の処理を行い、判定条件が満たされない場合にステップＳ１１７以降の処理を行う。
【００６５】
１以上の非公開カメラ１００ｂ、１００ｃのカメラ制御権を割当可能である場合に、公開カメラ１００ａは、セッションの開始要求の転送先となる非公開カメラ（例えば非公開カメラ１００ｂとする。）を選定し（Ｓ１１３）、当該非公開カメラ１００ｂにユーザ端末２００ｂによるカメラ制御権を伴うセッションの開始要求を転送する（Ｓ１１５）。ここで、公開カメラ１００ａは、制御権管理情報に基づいて、転送先の非公開カメラ１００ｂを選定する。また、公開カメラ１００ａは、ユーザＵｂへの当該非公開カメラ１００ｂのカメラ制御権の割当てを、カメラ制御権の利用期限とともに、制御権管理情報として記録する。これにより、当該非公開カメラ１００ｂとユーザ端末２００ｂとの間でカメラ制御権を伴うセッションが開始される。
【００６６】
一方、非公開カメラ１００ｂ、１００ｃのカメラ制御権を割当可能でない場合に、公開カメラ１００ａは、カメラ制御権の割当て予約先となる非公開カメラ（例えば非公開カメラ１００ｃとする。）を選定し（Ｓ１１７）、当該非公開カメラ１００ｃにユーザ端末２００ｂによるカメラ制御権を伴うセッションの開始要求を転送する（Ｓ１１９）。ここで、公開カメラ１００ａは、制御権管理情報に基づいて、割当予約時点が最も早くなる（待ち時間が最短となる）ように、予約先の非公開カメラ１００ｃを選定する。また、公開カメラ１００ａは、ユーザＵｂへの当該非公開カメラ１００ｃのカメラ制御権の割当予約を、割当予約時点とともに、制御権管理情報として記録する。
【００６７】
これにより、当該非公開カメラ１００ｃとユーザ端末２００ｂとの間でカメラ制御権を伴わないセッションが開始され、当該非公開カメラ１００ｃのカメラ制御権を割当可能な状態になると、当該非公開カメラ１００ｃとユーザ端末２００ｂとの間でカメラ制御権を伴うセッションが開始される。
【００６８】
ステップＳ１０５の処理において、自機のカメラ制御権を他のユーザＵａ、Ｕｃに割当てていない場合に、公開カメラ１００ａは、自機のカメラ制御権をユーザＵｂに割当て（Ｓ１２３）、ユーザ端末２００ｂとの間でカメラ制御権を伴うセッションを開始する（Ｓ１２５）。ここで、公開カメラ１００ａは、ユーザＵｂへの自機のカメラ制御権の割当てを、カメラ制御権の利用期限とともに、制御権管理情報として記録する。
【００６９】
ステップＳ１０７の処理において、ユーザＵｂが優先度情報に基づく優先ユーザでない場合に、公開カメラ１００ａは、利用料金の徴収を条件として、優先度情報に基づく優先ユーザ向けのサービスを提供可能である旨をユーザ端末２００ｂに通知する（Ｓ１２７）。ここで、公開カメラ１００ａは、制御権管理情報に基づいて、自機および非公開カメラ１００ｂ、１００ｃのカメラ制御権の割当・予約状況をユーザ端末２００ｂに通知してもよい。公開カメラ１００ａは、ユーザＵｂが優先度情報に基づく優先ユーザ向けのサービスの開始を希望するかを判定する（Ｓ１２９）。公開カメラ１００ａは、判定条件に該当する場合にステップＳ１０９以降の処理を行い、判定条件に該当しない場合に、ユーザ端末２００ｂとの間でカメラ制御権を伴わないセッションを開始する（Ｓ１２１）。
【００７０】
なお、ステップＳ１０７の処理において、公開カメラ１００ａは、ユーザＵｂが優先ユーザではないので、カメラ制御権を割当てられない旨をユーザ端末２００ｂに通知した上で、ユーザ端末２００ｂとの間でカメラ制御権を伴わないセッションを開始してもよい（Ｓ１２１）。
【００７１】
ステップＳ１０９の処理において、ユーザＵｂが利用実績情報に基づく優先ユーザでない場合に、公開カメラ１００ａは、ユーザＵｂへの自機のカメラ制御権の割当てを予約し（Ｓ１３１）、ユーザ端末２００ｂとの間でカメラ制御権を伴わないセッションを開始する（Ｓ１２１）。公開カメラ１００ａは、ユーザＵｂへの自機のカメラ制御権の割当予約を、割当予約時点とともに、制御権管理情報として記録する。そして、自機のカメラ制御権を割当可能な状態になると、公開カメラ１００ａとユーザ端末２００ｂとの間でカメラ制御権を伴うセッションが開始される。
【００７２】
なお、上記処理手順では、ユーザＵｂが優先度情報および利用実績情報に基づく優先ユーザであると判定されると、カメラ制御権を伴うセッションの開始要求が非公開カメラ１００ｂ、１００ｃに転送される場合について説明した。しかし、ユーザＵｂが優先度情報または利用実績情報に基づく優先ユーザであると判定されると、カメラ制御権を伴うセッションの開始要求が非公開カメラ１００ｂ、１００ｃに転送されてもよい。
【００７３】
次に、図８を参照しながら、配信カメラ制御方法の処理手順について説明する。図８は、本発明の実施形態に係る配信カメラ制御方法の処理手順を示すシーケンス図である。図８に示すように、公開カメラである配信カメラ１００ａとユーザ端末２００ａとの間で、カメラ制御権を伴うセッションが開始されている場合を想定する（Ｓ１５１〜Ｓ１５７）。
【００７４】
図８に示すように、ユーザ端末２００ｂは、ＳＩＰサーバ５を介して、カメラ制御権を伴うセッションの開始要求を配信カメラ１００ａに送信し、配信カメラ１００ａは、セッションの開始要求を受信する（Ｓ１５９、Ｓ１６０）。配信カメラ１００ａは、自機のカメラ制御権をユーザＵａに割当てており、ユーザＵｂに割当て可能な状態ではないので、ユーザＵｂが優先ユーザであるかを判定する。
【００７５】
配信カメラ１００ａは、ユーザＵｂが優先ユーザであるので、カメラ制御権を伴うセッションの開始要求を非公開カメラである配信カメラ１００ｂに転送する。ここで、配信カメラ１００ａは、ユーザ端末２００ｂのセッション開始要求を配信カメラ１００ｂに転送するために、ＳＩＰサーバ５に転送要求（ＲＥＦＥＲメッセージ等）を送信する（Ｓ１６１）。転送要求には、ユーザ端末２００ｂのアドレスおよび配信カメラ１００ｂの非公開アドレスが含まれている。転送要求を受信すると、ＳＩＰサーバ５は、転送応答を配信カメラ１００ａに送信し（Ｓ１６３）、転送要求に従ってユーザ端末２００ｂのセッション開始要求（ＩＮＶＩＴＥｗｉｔｈＲＥＰＬＡＣＥメッセージ等）を配信カメラ１００ｂに送信する（Ｓ１６５）。なお、ユーザ端末２００ｂのセッション開始要求は、転送要求とともに、配信カメラ１００ａからＳＩＰサーバ５に送信されてもよく、ユーザ端末２００ｂのアドレスとともに、ログ情報としてＳＩＰサーバ５に予め記録されていてもよい。
【００７６】
配信カメラ１００ｂは、セッションの開始要求を受信すると、開始応答をユーザ端末２００ｂに送信し（Ｓ１６７、Ｓ１６８）、ユーザ端末２００ｂとの間で自機のカメラ制御権を伴うセッションを開始する。配信カメラ１００ｂは、ユーザ端末２００ｂに対して映像データの配信を開始する（Ｓ１６９）。また、ユーザ端末２００ｂは、ユーザＵｂによる遠隔操作に応じて、制御データを配信カメラ１００ｂに送信する（Ｓ１７１）。配信カメラ１００ｂは、自機のカメラ制御権を有するユーザＵｂのユーザ端末２００ｂから制御データを受信すると、制御データに応じて撮影条件を変更し、所定の撮影条件の映像データを配信する。
【００７７】
これにより、ユーザＵｂは、公開カメラである配信カメラ１００ａのカメラ制御権が利用不能な状態でも、非公開カメラである配信カメラ１００ｂのカメラ制御権を用いて、配信カメラ１００ｂを制御し、所望の映像を確認することができる。
【００７８】
なお、上記処理手順では、公開カメラである配信カメラ１００ａのカメラ制御権を割当可能ではないが、非公開カメラである配信カメラ１００ｂのカメラ制御権を割当可能である場合について説明した。一方、配信カメラ１００ｂのカメラ制御権も割当可能でない場合には、図３Ａ〜３Ｃに示したように、ユーザＵｂへの配信カメラ１００ｂのカメラ制御権の割当が予約される。この場合、まず、配信カメラ１００ｂとユーザ端末２００ｂとの間で、カメラ制御権を伴わないセッションが開始される。そして、配信カメラ１００ｂのカメラ制御権を割当可能な状態にあると、配信カメラ１００ｂとユーザ端末２００ｂとの間で、セッションの変更要求・変更応答が送受信され、カメラ制御権を伴うセッションが開始される。
【００７９】
［５．まとめ］
以上説明したように、本発明の実施形態に係る配信カメラ制御方法によれば、配信カメラ１００ａによって、まず、カメラ制御権を伴うセッションの開始要求をユーザ端末２００ｂから受信し、他のユーザ端末２００ａのユーザＵａに自機のカメラ制御権を割当てている場合に、ユーザ端末２００ｂのユーザＵｂが優先ユーザであるかを判定する。そして、優先ユーザである場合に、公開アドレスを有しない他の配信カメラ１００ｂがユーザ端末２００ｂとの間でカメラ制御権を伴うセッションを開始するように、カメラ制御権を伴うセッションの開始要求を、他の配信カメラ１００ｂに転送する。これにより、ユーザの優先度に応じて、配信カメラ１００ｂのカメラ制御権を優先ユーザであるユーザＵｂに優先的に割当てることができる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
３    通信網
５    ＳＩＰサーバ
１０ａ、１００ａ〜１００ｃ    配信カメラ
２０ａ〜２０ｃ、２００ａ〜２００ｃ    ユーザ端末
１０３  カメラ制御部
１０９    第１の通信部
１１１    第２の通信部
１１３    制御権管理部
１１５    制御権管理ＤＢ
１１７    ユーザ判定部
３００    ユーザ管理サーバ
Ｕａ〜Ｕｃ    ユーザ
【図１】
2010193362.tif 000003
【図２】
2010193362.tif 000004
【図３Ａ】
2010193362.tif 000005
【図３Ｂ】
2010193362.tif 000006
【図３Ｃ】
2010193362.tif 000007
【図４】
2010193362.tif 000008
【図５】
2010193362.tif 000009
【図６】
2010193362.tif 000010
【図７】
2010193362.tif 000011
【図８】
2010193362.tif 000012